(57)【要約】【課題】空調ケースの側面側外方への突き出し高さの低いハウジング部材を用いた電気ヒータを形成することで空調ケースの車両への搭載性の向上が図れる車両用空調装置を実現する。【解決手段】ヒータコア１３は、空調ケース１１の一側面側に配管接続部１９が外方に突き出すように配置され、複数の通電発熱部３３と、この通電発熱部３３を作動させるための電装部３７と、外部に接続される端子部３８、３９を有し電装部３７を内部に収容するハウジング部材３５とを備え、ＰＴＣヒータ３０は、端子部３８、３９と複数の通電発熱部３３の一端部と間に電装部３７を介して電気的に接続するとともに、ハウジング部材３５が複数の通電発熱部３３の一端部と一体的に構成され、かつハウジング部材３５が配管接続部１９の対向する側の空調ケース１１の外方に配置されるように構成した。これにより、車両への搭載性の向上が図れる。【選択図】図３
2008155896.tif 000002
【特許請求の範囲】
【請求項１】
空気通路を形成する空調ケース（１１）と、
前記空調ケース（１１）内に配置されて通過する空気を加熱する加熱用熱交換器（１３）と、
前記加熱用熱交換器（１３）の空気流れの下流側に配置されて通過する空気を加熱する通電発熱部（３３）を有する電気ヒータ（３０）とを備える車両用空調装置において、
前記加熱用熱交換器（１３）は、前記空調ケース（１１）の一側面側に配管接続部（１９）が外方に突き出すように配置されており、
前記通電発熱部（３３）を作動させるための電装部（３７）と、
少なくとも電源系の端子部（３８、３９）を有し前記電装部（３７）を内部に収容するハウジング部材（３５）とを備え、
前記電気ヒータ（３０）は、前記端子部（３８、３９）と前記通電発熱部（３３）の一端部と間に前記電装部（３７）を介して電気的に接続するとともに、前記ハウジング部材（３５）が前記通電発熱部（３３）の一端部と一体的に構成され、かつ前記ハウジング部材（３５）が前記配管接続部（１９）の対向する側の前記空調ケース（１１）の外方に配置されるように構成したことを特徴とする車両用空調装置。
【請求項２】
前記空調ケース（１１）には、その両側面に前記加熱用熱交換器（１３）を収容できるように外方に突き出す凸部（１１ａ）が形成され、
前記ハウジング部材（３５）には、前記空調ケース（１１）の一側面に形成された前記凸部（１１ａ）に干渉しない凹部（３５ａ）が形成されていることを特徴とする請求項１に記載の車両用空調装置。
【請求項３】
前記ハウジング部材（３５）は、外郭形状が略Ｌ字状に形成され、かつその短辺側が前記空調ケース（１１）内の空気流れの上流方向に沿って配置されていることを特徴とする請求項１または請求項２に記載の車両用空調装置。
【請求項４】
前記電装部（３７）は、前記通電発熱部（３３）に係わる駆動回路、保護回路、および制御回路の少なくとも一方を前記ハウジング部材（３５）内に構成したことを特徴とする請求項１乃至請求項３のいずれか一項に記載の車両用空調装置。
【発明の詳細な説明】
【技術分野】
【０００１】
本発明は、暖房熱源として温水などを熱源とする加熱用熱交換器に、補助熱源として電気発熱体を備えて併用する車両用空調装置に関するものであり、車両のインストルメントパネル内に搭載される空調ケースなどに用いて好適である。
【背景技術】
【０００２】
従来、この種の車両用空調装置として、例えば、特許文献１に示されるものが知られている。すなわち、空気を冷却する冷却用熱交換器である蒸発器と、空気を加熱する加熱用熱交換器であるヒータコアとが空気通路を形成する空調ケース内に直列に配置されている。そして、ヒータコアの空気流れ下流側に電気ヒータを配置してヒータコアで加熱された空気をさらに加熱して車室内に吹き出すように構成している。
【０００３】
また、電気ヒータは、熱を発生する通電発熱部と、この通電発熱部から発生した熱を空気に伝えるフィンと、通電発熱部に電力を供給する電装部と、この電装部を収容するハウジング部材などから一体的に構成されている。つまり、加熱するときに電力が供給される通電発熱部をＰＴＣ素子で形成されたＰＴＣヒータが電気ヒータとしてヒータコアの空気流れ下流側に配置されている。
【特許文献１】特開２００６−２１３２３２号公報
【発明の開示】
【発明が解決しようとする課題】
【０００４】
しかしながら、上記特許文献１のようなＰＴＣヒータによれば、電装部には、通電発熱部に電力を供給する他に、複数の通電発熱部を選択的に駆動する駆動回路、通電発熱部の過熱防止または大電流を規制する保護回路、および外部への制御装置と相互通信するための制御回路が必要となる場合がある。
【０００５】
換言すると、電装部に駆動回路、保護回路、制御回路などを設けると、この電装部を収容するハウジング部材の体格が大きくなる。これにより、空調ケースの一側面におけるハウジング部材の配置スペースが大きくなる問題がある。
【０００６】
具体的には、通電発熱部をヒータコアの空気流れ下流側に配置し、ハウジング部材を空調ケースの一側面側外方に突き出すように電気ヒータを配置すると、インストルメントパネル内での空調ケースの側方における他の部品との搭載性が低下する問題がある。
【０００７】
また、空調ケースにおいて、ヒータコアの空気流れ下流側は車両後方側に形成されることで、空調ケースの一側面側の車両後方端への延べ長さが大きく取れない。つまり、ハウジング部材を複数の通電発熱部に対してＬ型状に形成し、かつ空調ケースの一側面に沿って車両後方側に延設するように形成すると、延設する延べ長さを大きくするには制限がある。
【０００８】
そこで、本発明の目的は、上記点に鑑みたものであり、空調ケースの側面側外方への突き出し高さの低いハウジング部材を用いた電気ヒータを形成することで空調ケースの車両への搭載性の向上が図れる車両用空調装置を提供することにある。
【課題を解決するための手段】
【０００９】
上記目的を達成するために、請求項１ないし請求項４に記載の技術的手段を採用する。すなわち、請求項１に記載の発明では、空気通路を形成する空調ケース（１１）と、この空調ケース（１１）内に配置されて通過する空気を加熱する加熱用熱交換器（１３）と、この加熱用熱交換器（１３）の空気流れの下流側に配置されて通過する空気を加熱する通電発熱部（３３）を有する電気ヒータ（３０）とを備える車両用空調装置において、
加熱用熱交換器（１３）は、空調ケース（１１）の一側面側に配管接続部（１９）が外方に突き出すように配置されており、通電発熱部（３３）を作動させるための電装部（３７）と、少なくとも電源系の端子部（３８、３９）を有し電装部（３７）を内部に収容するハウジング部材（３５）とを備え、
電気ヒータ（３０）は、端子部（３８、３９）と通電発熱部（３３）の一端部と間に電装部（３７）を介して電気的に接続するとともに、ハウジング部材（３５）が通電発熱部（３３）の一端部と一体的に構成され、かつハウジング部材（３５）が配管接続部（１９）の対向する側の空調ケース（１１）の外方に配置されるように構成したことを特徴としている。
【００１０】
この発明によれば、加熱用熱交換器（１３）と通電発熱部（３３）とは、空調ケース（１１）に、風の流れ方向に沿って、概して平行に配置される。ところで、空調ケース（１１）の一側面側には、加熱用熱交換器（１３）の配管接続部（１９）が配置されるが、配管接続部（１９）の対向する側の空調ケース（１１）の一側面側は空きスペースが形成されている。
【００１１】
そこで、本発明では、配管接続部（１９）の対向する側の空調ケース（１１）の一側面側において、通電発熱部（３３）が配置される空調ケース（１１）の一側面側と、その一側面から加熱用熱交換器（１３）が配置される空調ケース（１１）の一側面に沿って延設するようにハウジング部材（３５）を形成することで、空調ケース（１１）の側面側外方への突き出し高さの低いハウジング部材（３５）を用いた電気ヒータ（３０）を形成することができる。これにより、空調ケース（１１）の車両への搭載性の向上が図れる。
【００１２】
請求項２に記載の発明では、空調ケース（１１）には、その両側面に加熱用熱交換器（１３）を収容できるように外方に突き出す凸部（１１ａ）が形成され、ハウジング部材（３５）には、空調ケース（１１）の一側面に形成された凸部（１１ａ）に干渉しない凹部（３５ａ）が形成されていることを特徴としている。
【００１３】
この発明によれば、空調ケース（１１）は、通風抵抗の少ない所定の空気通路を確保するために、加熱用熱交換器（１３）の端部を空調ケース（１１）の両側面外方へ突き出すように凸部（１１ａ）が形成されている。
【００１４】
そこで、空調ケース（１１）の凸部（１１ａ）に干渉しない凹部（３５ａ）をハウジング部材（３５）に形成することで、空調ケース（１１）の側面側外方への突き出し高さの低いハウジング部材（３５）を用いた電気ヒータ（３０）を形成することができる。
【００１５】
請求項３に記載の発明では、ハウジング部材（３５）は、外郭形状が略Ｌ字状に形成され、かつその短辺側が空調ケース（１１）内の空気流れの上流方向に沿って配置されていることを特徴としている。
【００１６】
この発明によれば、ハウジング部材（３５）を略Ｌ字状に形成することで配管接続部（１９）の対向する側の空調ケース（１１）の一側面側の空きスペースを活用することができる。また、加熱用熱交換器（１３）の空気流れの下流側は、空調ケース（１１）において車両後方側となるため短辺側の延べ長さを大きくとるには制限があるが、空調ケース（１１）内の空気流れの上流方向へは延べ長さを大きく取れるスペースがある。
【００１７】
請求項４に記載の発明では、電装部（３７）は、通電発熱部（３３）に係わる駆動回路、保護回路、および制御回路の少なくとも一方をハウジング部材（３５）内に構成したことを特徴としている。
【００１８】
この発明によれば、上記回路を電装部（３７）に設けることでハウジング部材（３５）の体格が大きくなるが、上述したように空調ケース（１１）の側面側外方への突き出し高さの低いハウジング部材（３５）を用いた電気ヒータ（３０）を形成することができる。これにより、空調ケース（１１）全体を小型にすることができる。従って、上記回路を有する電気ヒータ（３０）を用いる空調装置に好適である。
【００１９】
なお、上記各手段の括弧内の符号は、後述する実施形態の具体的手段との対応関係を示すものである。
【発明を実施するための最良の形態】
【００２０】
以下、本発明の一実施形態における車両用空調装置を図１ないし図３に基づいて説明する。図１は本実施形態における車両用空調装置の空調ユニット１０の全体構成を示す縦断面図である。図２（ａ）はＰＴＣヒータ３０の概略構成を示す正面図であり、図２（ｂ）は図２（ａ）に示す平面図である。図３は空調ケース１１へのＰＴＣヒータ３０の配置形態を示す部分断面図である。
【００２１】
本実施形態による車両用空調装置の通風系は、大別して、図示しない送風機ユニットと、図１に示す空調ユニット１０との２つの部分に分かれている。送風機ユニット（図示せず）は車室内の計器盤（インストルメントパネル）下方部のうち、中央部から助手席側へオフセットして配置されており、これに対し、空調ユニット１０は車室内の計器盤下方部のうち、車両左右方向の略中央部に配置されている。
【００２２】
送風機ユニット（図示せず）は周知のごとく内気（車室内空気）と外気（車室外空気）を切り替え導入する内外気切替箱と、この内外気切替箱を通して空気を吸入して送風する送風機とから構成されている。空調ユニット１０は、１つの共通の空調ケース１１内に冷却用熱交換器である蒸発器１２と加熱用熱交換器であるヒータコア１３とを両方とも一体的に内蔵するタイプのものである。
【００２３】
空調ケース１１は、空気通路を形成するためにポリプロピレンのような、ある程度の弾性を有し、強度的にも優れた樹脂材料による成形品から形成される。空調ケース１１は具体的には複数の分割ケースからなり、この複数の分割ケースは、上記熱交換器１２、１３、後述のドア等の機器を収納した後に、金属バネクリップ、ネジ等の締結手段により一体に結合されて空調ユニット１０を構成する。
【００２４】
空調ユニット１０は、車室内の計器盤（インストルメントパネル）下方部の略中央部に、車両の前後、左右および上下方向に対して、図１に示す形態で配置され、そして、空調ケース１１の車両前方の側面側に空気入口部１４が形成されている。この空気入口部１４には、前述の送風機ユニットから送風される送風空気が流入する。
【００２５】
空調ケース１１内において、空気入口１４直後の車両後方の部位に蒸発器１２が配置されている。この蒸発器１２は車両前後方向には薄型の形態で空調ケース１１内通路を横断するように車両の左右方向に配置されている。この蒸発器１２は周知のごとく冷凍サイクルの冷媒の蒸発潜熱を送風空気から吸熱して送風空気を冷却するものである。
【００２６】
そして、蒸発器１２の空気流れ下流側（車両後方の下方側）に、所定の間隔を開けてヒータコア１３が配置されている。ヒータコア１３は空調ケース１１内において、車両後方側に傾斜して配置されている。このヒータコア１３は、周知のように、その内部に高温の温水（エンジン冷却水）と空調ケース１１内を通る空気とを熱交換を行うものである。
【００２７】
そして、ヒータコア１３の空気流れ下流側に、電気ヒータであるＰＴＣヒータ３０がヒータコア１３と略平行に配置されている。なお、ＰＴＣヒータ３０の構成およびそのＰＴＣヒータ３０とヒータコア１３との配置形態については後述する。
【００２８】
次に、空調ケース１１内の空気通路において、ヒータコア１３の上方部位には、このヒータコア１３をバイパスして冷風が流れる冷風バイパス通路１５と、このヒータコア１３を通過して温風が流れる温風通路１７とが形成されている。
【００２９】
そして、冷風バイパス通路１５、温風通路１７のそれぞれには、ヒータコア１３およびＰＴＣヒータ３０で加熱される温風と、冷風バイパス通路１５を通ってヒータコア１３をバイパスする冷風との混合割合を調整する平板状のエアミックスドア１６が配置されている。
【００３０】
エアミックスドア１６は、ヒータコア１３の上方近傍に隣接して水平方向に配置された回動軸１６ａと一体結合されており、回動軸１６ａとともに車両上下方向に回転可能になっている。エアミックスドア１６は上記混合割合の調整により車室内への吹出空気温度を調整する温度調整手段をなす。また、回動軸１６ａは、空調ケース１１に回動自在に支持され、かつ回動軸１６ａの一端部は空調ケース１１の外部に突き出して、図示しないリンク機構に結合されて、空調装置の温度制御機構（サーボモータなどのアクチュエータ等）により回動駆動されるようになっている。
【００３１】
そして、空調ケース１１内において、ＰＴＣヒータ１５の空気下流側（車両後方側の部位）には、ＰＴＣヒータ１５との間に所定間隔を開けて上下方向に延びる壁面１８が空調ケース１１に一体成形されている。この壁面１８によりＰＴＣヒータ１５の直後から温風通路１７を流通して上方に温風が導かれる。
【００３２】
そして、空調ケース１１内において、エアミックスドア１６の空気流れ下流側には、冷風バイパス通路１５からの冷風と温風通路１７からの温風とを合流させて冷風と温風の混合を行う空気混合部２０が形成されている。
【００３３】
空気混合部２０の空気流れ下流端の空調ケース１１の上方部において、車両前方側の部位にはデフロスタ開口部２１が車両前方向の上方側に開口して形成されている。このデフロスタ開口部２１は空気混合部２０から温度制御された空調空気が流入するものであって、図示しないデフロスタダクトを介してデフロスタ吹出口に接続され、このデフロスタ吹出口から、車両前面窓ガラスの内面に向けて空調空気を吹き出す。
【００３４】
デフロスタ開口部２１の空気流れ上流側には、平板状のデフロスタドア２２が設置されている。デフロスタドア２２は、デフロスタ開口部２１に流入する空調空気の流路を開閉するドア手段である。デフロスタドア２２は、空調ケース１１の上面部近傍でデフロスタ開口部２１の上端部に隣接して水平方向に配置された回転軸２２ａにより回動自在に支持されている。
【００３５】
デフロスタ開口部２１の車両後方側の部位には、フェイス開口部２３が上方側に開口して形成されている。フェイス開口部２３は空気混合部２０から温度制御された空調空気が流入するものであって、図示しないフェイスダクト、サイドフェイスダクトを介してフェイス吹出口、サイドフェイス吹出口に接続され、このフェイス吹出口、サイドフェイス吹出口から乗員の上半身に向けて空調空気を吹き出す。
【００３６】
フェイス開口部２３の空気流れ上流側には、平板状のフェイスドア２４が設置されている。フェイスドア２４は、フェイス開口部２３に流入する空調空気の流路を開閉するドア手段である。フェイスドア２４は、空調ケース１１のデフロスタ開口部２１近傍でフェイス開口部２３の上端部に隣接して水平方向に配置された回転軸２４ａにより回動自在に支持されている。
【００３７】
そして、空調ケース１１内において、温風通路１７上方の車両後方側の部位には、フット通風路２７が形成されている。このフット通風路２７には、空気混合部２０から温度制御された空調空気が流入するものであって、フット通風路２７の空気下流端にフット開口部２８が形成されている。
【００３８】
そして、フット開口部２８は、図示しない前席用フットダクト、後席用フットダクを介して前席用フット吹出口、後席用フット吹出口に接続され、この前席用フット吹出口、後席用フット吹出口から乗員の足元に向けて空調空気が吹き出される。
【００３９】
フット通風路２７の空気流れ上流側には、バタフライ状のフットドア２６が設置されている。フットドア２６は、フット通風路２７に流入する空調空気の流路を開閉するドア手段である。フットドア２６は、フェイス開口部２３の車両後方端から下方の部位において、水平方向に配置された回転軸２６ａにより回動自在に支持されている。
【００４０】
ここで、上述したデフロスタドア２２、フェイスドア２４、およびフットドア２６は、吹出モード切替用のドア手段であって、回転軸２２ａ、２４ａ、２６ａの一端部は空調ケース１１の外部に突き出され、図示しないリンク機構に連結されて、吹出モード切替機構（サーボモータなどのアクチュエータ）により連動操作される。
【００４１】
次に、ヒータコア１３の空気流れ下流側に配置するＰＴＣヒータ３０の構成について説明する。ＰＴＣヒータ３０は、図２（ａ）および図２（ｂ）に示すように、一対の保持部材３１、３２、複数（本例では３個）の通電発熱部３３、複数のフィン３４、ハウジング部材３５、電装部３７から構成されている。
【００４２】
保持部材３１、３２は複数の通電発熱部３３の両端を支持する部材である。通電発熱部３３は、チューブ状の金属管で形成して、内部に抵抗温度特性を有するＰＴＣ素子が配設された発熱体であって、ＰＴＣ素子に電力を通電することで熱を発生する。本実施形態では車両の上下方向に所定の間隔を設けて複数個（本例では３個）配列している。
【００４３】
複数のフィン３４は伝熱特性の良好なアルミニウムなどの薄板状のプレートフィンで形成し、通電発熱部３３の外形に嵌め合わせて水平方向に複数積層させている。また、通電発熱部３３の外形近傍に配設されるフィンは、フィンと通電発熱部３３との接触面積を増加するためにＬ状に折り曲げて通電発熱部３３の外形に接合するように形成している。
【００４４】
なお、一対の保持部材３１、３２の間に形成される通電発熱部３３およびフィン３４はコア部であって、このコア部にヒータコア１３を通過した空気が通過することで空気が更に加熱される。
【００４５】
ハウジング部材３５は、耐熱性を有する樹脂材料（例えば、６６ナイロン、ポリブタジェンテレフタレートなど）で形成された樹脂ハウジングであり、電源系および信号系の端子部３８、３９が設けられるとともに、内部に配設する電装部３７を収容するために左の保持部材３１の一端面に嵌合するように一体的に構成される。
【００４６】
ここで、電源系の端子部３８は、車両に搭載されたバッテリからの電源を供給するためのコネクタであって、図示しない電源配線のコネクタに接続される。また、信号系の端子部３９は、空調装置を制御する制御装置（図示せず）との相互通信を行うためのコネクタであって、図示しない信号配線のコネクタに接続される。
【００４７】
また、電装部３７は、電源系および信号系の端子部３８、３９と複数の通電発熱部３３の一端部との間を電気的に接続する電気回路であって、少なくとも複数の通電発熱部３３を選択的に作動させるための電力供給回路が設けられている。
【００４８】
さらに、ＰＴＣヒータ３０を一体的に構成するために、電装部として、上記電力供給回路の他に、複数の通電発熱部３３を選択的に駆動する駆動回路、通電発熱部３３の過熱防止または大電流を規制する保護回路、もしくは外部への図示しない制御装置と相互通信するための制御回路などを付加しても良い。
【００４９】
少なくとも、駆動回路、保護回路および制御回路を電装部３７に付加することでＰＴＣヒータ３０を一体的に構成することができる。ところが、電装部３７に、これらの電気回路を設けることでハウジング部材３５の体格が大きくなってしまう傾向となる。また、ハウジング部材３５は、概して空調ケース１１の外部に配設されることで空調ケース１１の外方に突き出す高さが大きいと、車両への搭載性が低下する問題がある。
【００５０】
そこで、本実施形態では、ハウジング部材３５をヒータコア１３とＰＴＣヒータ３０とを併設する空調ケース１１の一側面側の外方に突き出し高さを低くするようにハウジング部材３５を形成している。具体的には、ハウジング部材３５の外郭形状を、図２（ｂ）および図３に示すように、通電発熱部３３に対してＬ字状に形成し、その短辺側が、ヒータコア１３が配置される空調ケース１１の一側面に沿うように形成している。
【００５１】
ところで、ヒータコア１３が配置される空調ケース１１の側面外方には、図３に示すように、ヒータコア１３に温水を導入出するための配管接続部１９が設けられているため、ＰＴＣヒータ３０のハウジング部材３５は、配管接続部１９の対向する側に配置するように構成している。
【００５２】
これにより、ハウジング部材３５の空調ケース１１の側面側外方への突き出し高さを低くすることができるとともに、奥行方向（空気流れ方向）の寸法を大きく取れることで全体の体格を大きくすることができる。従って、ハウジング部材３５内に駆動回路、保護回路および制御回路を有する電装部３７を収容することができる。
【００５３】
さらに、ヒータコア１３のタンク部１３ａ１３ｂを収容するために、図３に示すように、空調ケース１１の一側面に外方に突き出す凸部１１ａが形成されることがある。この場合には、この凸部１１ａに干渉しないようにハウジング部材３５を形成すると良い。より具体的には、ハウジング部材３５の外郭形状のうち、空調ケース１１の一側面に沿う部位を凹状の凹部３５ａを形成すると良い。
【００５４】
以上の一実施形態による車両用空調装置によれば、ＰＴＣヒータ３０は、電源系および信号系の端子部３８、３９と複数の通電発熱部３３の一端部と間に電装部３７を介して電気的に接続するとともに、ハウジング部材３５が複数の通電発熱部３３の一端部と一体的に構成され、かつハウジング部材３５がヒータコア１３の配管接続部１９の対向する側の空調ケース１１の外方に配置されるように構成している。
【００５５】
これによれば、ヒータコア１３とＰＴＣヒータ３０とは、空調ケース１１に、風の流れ方向に沿って、概して平行に配置される。つまり、空調ケース１１の一側面側には、ヒータコア１３の配管接続部１９が配置されるが、この配管接続部１９の対向する側の空調ケース１１の一側面側は空きスペースが形成されている。
【００５６】
そこで、本実施形態では、配管接続部１９の対向する側の空調ケース１１の一側面側において、ＰＴＣヒータ３０の通電発熱部３３が配置される空調ケース１１の一側面側と、その一側面からヒータコア１３が配置される空調ケース１１の一側面に沿って延設するようにハウジング部材３５を形成することで、空調ケース１１の側面側外方への突き出し高さの低いハウジング部材３５を用いたＰＴＣヒータ３０を形成することができる。これにより、空調ケース１１の車両への搭載性の向上が図れる。
【００５７】
また、空調ケース１１には、通風抵抗の少ない所定の空気通路を確保するために、その両側面にヒータコア１３のタンク部１３ａ、１３ｂを収容できるように外方に突き出す凸部１１ａが形成される場合もある。
【００５８】
そこで、本実施形態のように、空調ケース１１の凸部１１ａに干渉しない凹部３５ａをハウジング部材３５に形成することで、空調ケース１１の側面側外方への突き出し高さの低いハウジング部材３５を用いたＰＴＣヒータ３０を形成することができる。
【００５９】
また、ハウジング部材３５は、外郭形状が略Ｌ字状に形成され、かつその短辺側が空調ケース１１内の空気流れの上流方向に沿って配置されていることにより、ハウジング部材３５を略Ｌ字状に形成することで配管接続部１９の対向する側の空調ケース１１の一側面側の空きスペースを活用することができる。
【００６０】
ところで、ヒータコア１３の空気流れ下流側は、空調ケース１１において車両後方側となるため短辺側の延べ長さを大きくとるには制限があるが、空調ケース１１内の空気流れの上流方向へは延べ長さを大きく取れるスペースがある。
【００６１】
電装部３７は、複数の通電発熱部３３に係わる駆動回路、保護回路、および制御回路の少なくとも一方をハウジング部材３５内に構成したことにより、上記回路を電装部３７に設けることでハウジング部材３５の体格が大きくなるが、上述したように空調ケース１１の側面側外方への突き出し高さの低いハウジング部材３５を用いたＰＴＣヒータ３０を形成することができる。これにより、空調ケース１１全体を小型にすることができる。従って、上記回路を有するＰＴＣヒータ３０を用いる空調装置に好適である。
【００６２】
（他の実施形態）
以上の一実施形態では、ヒータコア１３のタンク部１３ａ、１３ｂが空調ケース１１に対して水平方向に向き合うように空調ケース１１内に配置したが、これに限らず、ヒータコア１３のタンク部１３ａ、１３ｂが空調ケース１１に対して上下方向に向き合うように空調ケース１１内に配置しても良い。
【００６３】
この場合には、空調ケース１１の一側面側に配管接続部１９が設けられるが、この配管接続部１９の対向する側は空きスペースとなっている。この配管接続部１９の対向する側には、ヒータコア１３の端部と空調ケース１１側面との隙間を気密するために空調ケース１１の一側面側に凸部１１ａが形成されている。
【００６４】
従って、ハウジング部材３５に凹部３５ａを形成するで、空調ケース１１の側面側外方への突き出し高さの低いハウジング部材３５を用いたＰＴＣヒータ３０を形成することができる。
【００６５】
また、以上の実施形態では、電装部３７を複数の通電発熱部３３に係わる駆動回路、保護回路、および制御回路で形成したが、少なくとも電源系に係わる電気回路を形成し、信号系に係わる電気回路を外部に設けても良い。
【００６６】
また、以上の実施形態では通電発熱部３３を３個配列したが、一つの通電発熱部３３を配列するように構成しても良い。また、３個以上の複数個の通電発熱部３３を配列するように構成しても良い。さらに、通電発熱部３３にＰＴＣ素子を用いてＰＴＣヒータ３０を構成したが、ＰＴＣ素子を用いたＰＴＣヒータ３０に限らず、通電発熱部３３に電熱線を用いた電気ヒータであっても良い。
【図面の簡単な説明】
【００６７】
【図１】本発明の一実施形態における車両用空調装置の空調ユニット１０の全体構成を示す縦断面図である。
【図２】本発明の一実施形態における（ａ）はＰＴＣヒータ３０の概略構成を示す正面図、（ｂ）は（ａ）に示す平面図である。
【図３】本発明の一実施形態における空調ケース１１へのＰＴＣヒータ３０の配置形態を示す部分断面図である。
【符号の説明】
【００６８】
１１…空調ケース
１１ａ…凸部
１３…ヒータコア（加熱用熱交換器）
１９…配管接続部
３０…ＰＴＣヒータ（電気ヒータ）
３３…通電発熱部
３５…ハウジング部材
３５ａ…凹部
３７…電装部
３８…端子部、電源系の端子部
３９…端子部、信号系の端子部
【図１】
2008155896.tif 000003
【図２】
2008155896.tif 000004
【図３】
2008155896.tif 000005